(57)【要約】【課題】バックライトのディスプレイ縦方向中心線対称の輝度調節を行ってバックライトの消費電力を下げ、バックライトの効率化を図った液晶表示装置を提供する。【解決手段】液晶TV１は、映像を表示するディスプレイ８と、ディスプレイ８の背面側から光を発光する２つのU字管のバックライト２と、を備える。バックライト２は、管長の異なるバックライト２A及びバックライト２Bで構成されている。そして、バックライト２A及びバックライト２Bは、それぞれ、ディスプレイ８縦方向中心線を中心にして該縦方向上下対称となるように配置されている。液晶TV１は、ディスプレイ８の背面側からバックライト２で光を発光することにより、ディスプレイ８で動画や静止画を表示する。【選択図】  図１
2007004026.tif 000002
【特許請求の範囲】
【請求項１】
ディスプレイの背面側から光を発光するU字管のバックライトと、
前記U字管のバックライトに電圧を印加する電圧印加手段と、を備えた液晶表示装置において、
前記U字管のバックライトは、管長の異なる複数のバックライトで構成され、該構成されているバックライト各々を、ディスプレイ縦方向中心線を中心にしてディスプレイ縦方向上下対称に配置しており、
前記電圧印加手段は、前記U字管のバックライトに印加する電圧を、前記構成されているバックライト毎に調節し、
前記電圧印加手段は、ディスプレイ縦方向中央部より外側に配置された前記U字管のバックライトに印加する電圧を、ディスプレイ縦方向中央部に配置された前記U字管のバックライトに印加する電圧より、小さく調節する省電力モードを実行し、
前記省電力モードと、前記U字管のバックライトに印加する電圧を全て同じ電圧に調節する通常モードと、を選択する操作手段を備え、
前記電圧印加手段は、前記操作手段で選択されたモードを実行し、
前記U字管のバックライトから背面側に反射板を備え、
前記反射板は、円弧状に形成された液晶表示装置。
【請求項２】
ディスプレイの背面側から光を発光するU字管のバックライトと、
前記U字管のバックライトに電圧を印加する電圧印加手段と、を備えた液晶表示装置において、
前記U字管のバックライトは、管長の異なる複数のバックライトで構成され、該構成されているバックライト各々を、ディスプレイ縦方向中心線を中心にしてディスプレイ縦方向上下対称に配置しており、
前記電圧印加手段は、前記U字管のバックライトに印加する電圧を、前記構成されているバックライト毎に調節する液晶表示装置。
【請求項３】
前記電圧印加手段は、ディスプレイ縦方向中央部より外側に配置された前記U字管のバックライトに印加する電圧を、ディスプレイ縦方向中央部に配置された前記U字管のバックライトに印加する電圧より、小さく調節する省電力モードを実行する請求項２記載の液晶表示装置。
【請求項４】
前記省電力モードと、前記U字管のバックライトに印加する電圧を全て同じ電圧に調節する通常モードと、を選択する操作手段を備え、
前記電圧印加手段は、前記操作手段で選択されたモードを実行する請求項３記載の液晶表示装置。
【請求項５】
前記U字管のバックライトから背面側に反射板を備え、
前記反射板は、円弧状に形成された請求項２から４のいずれかに記載の液晶表示装置。
【発明の詳細な説明】
【技術分野】
【０００１】
本発明は、液晶テレビジョンや液晶モニターなどの液晶表示装置に関し、特に、ディスプレイに向かって光を発光するバックライトに関するものである。
【背景技術】
【０００２】
液晶テレビジョンや液晶モニターなどの液晶表示装置は、ディスプレイの背面側から光を発光するバックライトを備えている。バックライトは、例えば冷陰極管（CCFL：Cold  Cathode  Fluorescent  Lamp）で構成され、バックライトの形状には、U字形状などがある。
【０００３】
図８は、従来の液晶テレビジョンの外観図、図９は、同液晶テレビジョンにおけるバックライトの配置図である。
【０００４】
従来の液晶テレビジョン２０１は、図８に示すように、映像を表示するディスプレイ２０８と、ディスプレイ２０８の背面側から光を発光する２つのU字管のバックライト２０２と、を備える。
【０００５】
また、従来の液晶テレビジョン２０１は、図９に示すように、バックライト２０２の背面側に反射板２２１と、バックライト２０２のディスプレイ２０８側に液晶パネル（不図示）と、を備える。反射板２２１は、バックライト２０２からの光をディスプレイ２０８側に反射する。
【０００６】
バックライト２０２は、図８及び図９に示すように、管長の同じバックライト２０２A及びバックライト２０２Bで構成されている。そして、バックライト２０２A及びバックライト２０２Bは、ディスプレイ２０８縦方向中心線を中心にして両者が該縦方向上下対称となるように、それぞれ配置されている。
【０００７】
従来の液晶テレビジョン２０１は、ディスプレイ２０８の背面側からバックライト２０２で光を発光することにより、ディスプレイ２０８で動画や静止画を表示していた。
【０００８】
一方、特許文献１に記載されたような液晶表示装置が提案されている。
【０００９】
この液晶表示装置は、種類が異なる３本のU字管のバックライトと、該バックライトに電圧を印加する電圧印加手段と、装置本体に入力される交流電圧を検知し該交流電圧の規格と一致するバックライトを３本の内から１本選択し、選択したバックライトに電圧を印加することを該電圧印加手段に指示する制御手段と、を備える。
【００１０】
U字管のバックライトは、ディスプレイ横方向中心線を中心にしてディスプレイ横方向左右対称に、それぞれ配置されている。
【特許文献１】特開２００５−００３８９８公報
【発明の開示】
【発明が解決しようとする課題】
【００１１】
しかしながら、静止画を表示する場合と違って、動画を表示する場合においては、ディスプレイ全面にわたって同じ輝度である必要はない。例えば、従来のブラウン管型のテレビジョンにおいて、該テレビジョンのディスプレイ縦方向中央部外側は、該縦方向中央部と比し、ユーザが識別できない程度であるが若干暗い。
【００１２】
従来の液晶テレビジョン２０１は、バックライト２０２がディスプレイ２０８縦方向中心線を中心にして両者が該縦方向上下対称となるように配置されているため、ディスプレイ２０８縦方向中央部と比し、該縦方向中央部外側を暗くしたりすることができない。従って、動画を表示する場合において、電力を無駄に消費していることになる。
【００１３】
また、バックライトを生産する際においては、製品毎のバラツキがある。例えば、ディスプレイ２０８縦方向中心線上側のバックライト２０２Aの輝度が高く、該中心線下側のバックライト２０２Bの輝度が低くなることがある。これにより、ディスプレイ２０８縦方向中心線上側が明るくなり、下側が暗くなるという事態が起こる。従って、永年の使用等により、この事態が顕著に現れた場合には、ユーザに不快感を与えていた。
【００１４】
また、特許文献１では、３本のバックライトの内から１本選択し、選択したバックライトに電圧を印加するため、点灯するバックライトは1本である。これでは、上記と同様、ディスプレイ縦方向中央部と比し、該縦方向中央部外側を暗くしたりすることができない。従って、動画を表示する場合において、電力を無駄に消費していることになる。また、U字管のバックライトを、ディスプレイ横方向中心線を中心にして該横方向左右対称に配置すると、ライトの特性上良くなく、輝度ムラが多くなる。
【００１５】
本発明はこのような従来の課題を解決しようとするものであり、バックライトのディスプレイ縦方向中心線対称の輝度調節を行ってバックライトの消費電力を下げ、バックライトの効率化を図った液晶表示装置を提供することを目的とする。
【課題を解決するための手段】
【００１６】
本発明の液晶表示装置は、前記課題を解決するために以下の構成を備えている。
（１）ディスプレイの背面側から光を発光するU字管のバックライトと、
前記U字管のバックライトに電圧を印加する電圧印加手段と、を備えた液晶表示装置において、
前記U字管のバックライトは、管長の異なる複数のバックライトで構成され、該構成されているバックライト各々を、ディスプレイ縦方向中心線を中心にしてディスプレイ縦方向上下対称に配置しており、
前記電圧印加手段は、前記U字管のバックライトに印加する電圧を、前記構成されているバックライト毎に調節する。
【００１７】
この構成において、液晶表示装置は、例えば液晶テレビジョン、又は液晶モニターである。バックライトは、例えば冷陰極管（CCFL：Cold  Cathode  Fluorescent  Lamp）で構成される。
【００１８】
以上により、バックライトのディスプレイ縦方向中心線対称の輝度調節を行うことが可能となる。この輝度調節とは、例えば電圧印加手段が、ディスプレイ縦方向中央部より外側に配置されたU字管のバックライトに印加する電圧を、ディスプレイ縦方向中央部に配置されたU字管のバックライトに印加する電圧より、小さく調節する（後述の省電力モードに相当）ことで達成する。
【００１９】
そして、この輝度調節により、バックライトの消費電力を下げることができ、バックライトの効率化を図ることができる。
（２）前記電圧印加手段は、ディスプレイ縦方向中央部より外側に配置された前記U字管のバックライトに印加する電圧を、ディスプレイ縦方向中央部に配置された前記U字管のバックライトに印加する電圧より、小さく調節する省電力モードを実行する。
【００２０】
この構成において、省電力モードは、ディスプレイで動画を表示する場合に実行すると良い。ディスプレイで動画を表示する場合とは、例えばディスプレイでテレビ番組を放送する場合である。
【００２１】
以上より、省電力モードの実行によって輝度調節が行われ、バックライトの消費電力を下げることができ、バックライトの効率化を図ることができる。
（３）前記省電力モードと、前記U字管のバックライトに印加する電圧を全て同じ電圧に調節する通常モードと、を選択する操作手段を備え、
前記電圧印加手段は、前記操作手段で選択されたモードを実行する。
【００２２】
この構成において、ユーザは、操作手段で省電力モードと通常モードとを選択する。省電力モードは、ディスプレイで動画を表示する場合に適しており、通常モードは、ディスプレイで静止画を表示する場合に適している。ディスプレイで静止画を表示する場合とは、例えばパソコンの表示画面を想定している。
【００２３】
以上より、ユーザは操作手段で省電力モードと通常モードとを選択することができるため、ユーザの使い勝手を向上させる。
（４）前記U字管のバックライトから背面側に反射板を備え、
前記反射板は、円弧状に形成された。
【００２４】
この構成において、反射板は、反射効率の高い材料で構成される。反射効率の高い材料とは、例えば耐熱性に優れた白色の樹脂、又は銀メッキした銅材である。
【発明の効果】
【００２５】
この発明によれば、バックライトの消費電力を下げ、バックライトの効率化を図ることができる。
【発明を実施するための最良の形態】
【００２６】
以下、本発明の実施形態である液晶テレビジョンについて説明する。
【００２７】
図１は、本発明の実施形態である液晶テレビジョンの外観図である。
【００２８】
液晶テレビジョン（TV）１は、映像を表示するディスプレイ８と、ディスプレイ８の背面側から光を発光する２つのU字管のバックライト２と、を備える。
【００２９】
バックライト２は、例えば冷陰極管（CCFL：Cold  Cathode  Fluorescent  Lamp）で構成される。
【００３０】
また、バックライト２は、管長の異なるバックライト２A及びバックライト２Bで構成されている。そして、バックライト２A及びバックライト２Bは、それぞれ、ディスプレイ８縦方向中心線を中心にして該縦方向上下対称となるように配置されている。
【００３１】
液晶TV１は、ディスプレイ８の背面側からバックライト２で光を発光することにより、ディスプレイ８で動画や静止画を表示する。
【００３２】
図２は、本発明の実施形態である液晶テレビジョンの主要部の構成を示すブロック図である。
【００３３】
液晶TV１は、チューナ４、ＡＶ信号処理部５、ＯＳＤ処理部６、映像信号処理部７、ディスプレイ８、音声信号処理部９、スピーカ１０、バックライト２に電圧を印加するバックライト駆動回路１１、制御部１２、操作手段である操作部１３とを備えている。
【００３４】
アンテナ３のテレビ放送信号はチューナ４に入力され、このときチャンネル（ＣＨ）選局されたテレビ放送信号はＡＶ信号処理部５により、テレビ放送信号の処理と映像信号、音声信号に対する適切な処理が行われる。
【００３５】
映像信号については、オンスクリーンディスプレイ（ＯＳＤ）処理部６を介して映像信号処理部７に入力され、ディスプレイ８に入力される。映像信号処理部７に入力される際、ＯＳＤ処理部６により受信した映像信号に文字または図形が重畳される。
【００３６】
音声信号については、音声信号処理部９に入力され、スピーカ１０から出力される。
【００３７】
操作部１３は、ユーザが装置本体１に対して各種の命令を入力するためのものである。
【００３８】
バックライト駆動回路１１は、図示しない接続線を介して電圧を取得し、高電圧を発生させてバックライト２に電圧を印加する。
【００３９】
また、バックライト駆動回路１１は、構成されているバックライト２（バックライト２A、バックライト２B）毎に印加電圧を調節する。
【００４０】
制御部１２は、装置本体全体の制御を行う。制御部１２は、例えばマイクロコンピュータで構成される。制御部１２は、チューナ４に対して、ユーザにより選局されたＣＨの信号を出力する。ＡＶ信号処理部５に対して、映像信号、音声信号処理に対する制御信号を出力する。ＯＳＤ処理部６に対して、ディスプレイ８上で映像に文字または図形を重畳して表示する表示信号を出力する。音声信号処理部９に対して、音声信号出力レベルの制御信号等を出力する。バックライト駆動回路１１に対して、バックライト２の点灯または消灯するための制御信号を出力する。
【００４１】
制御部１２は、省電力モード又は通常モードを実行する。省電力モードは、ディスプレイ８縦方向中央部より外側に配置されたバックライト２Bに印加する電圧を、ディスプレイ８縦方向中央部に配置されたバックライト２Aに印加する電圧より、小さく調節するモードである。一方、通常モードは、バックライト２A及びバックライト２Bに印加する電圧を全て同じ電圧に調節するモードである。
【００４２】
また、省電力モードは、ディスプレイ８で動画を表示する場合に適しており、通常モードは、ディスプレイ８で静止画を表示する場合に適している。省電力モードと通常モードとの切り替えは、操作部１３に専用のスイッチ（不図示）が設けられており、該スイッチで行う。
【００４３】
制御部１２は、液晶TV１がテレビ番組を放送することを主としているため、つまりディスプレイ８で動画を表示することが多いため、デフォルト設定を省電力モードとしている。制御部１２は、装置本体1の電源がオンされると、省電力モードを実行する。
【００４４】
制御部１２は、省電力モードを実行すると、バックライト駆動回路１１に対して、バックライト２Bに印加する電圧を、バックライト２Aに印加する電圧より、小さく調節するための制御信号を出力する。
【００４５】
一方、制御部１２は、通常モードを実行すると、バックライト駆動回路１１に対して、バックライト２A及びバックライト２Bに印加する電圧を全て同じ電圧に調節するための制御信号を出力する。
【００４６】
なお、この実施形態では、液晶TV１がデフォルトで省電力モードを実行しているが、液晶表示装置として液晶モニターを実施する場合、静止画が多いパソコンの表示画面として使用するケースが多いため、デフォルトで通常モードを実行させるとよい。
【００４７】
以上により、バックライト２のディスプレイ８縦方向中心線対称の輝度調節を行うことが可能となる。
【００４８】
また、省電力モードの実行によって輝度調節が行われ、バックライト２の消費電力を下げることができ、バックライト２の効率化を図ることができる。
【００４９】
また、ユーザは操作部１３で省電力モードと通常モードとを選択することができるため、ユーザの使い勝手を向上させる。
【００５０】
ここで、制御部１２及びバックライト駆動回路１１が、本発明の「電圧印加手段」に相当する。液晶TV１が、本発明の「液晶表示装置」に相当する。
【００５１】
図３は、本発明の実施形態である液晶テレビジョンにおけるバックライトの配置図である。図４は、同液晶テレビジョンにおける反射板のディスプレイ縦の側面図である。図４は、図３の反射板をディスプレイ縦両側の内の手前（矢印と反対側）から見た側面図である。
【００５２】
液晶TV１は、図３に示すように、バックライト２の背面側に反射板２１と、バックライト２のディスプレイ８側に液晶パネル（不図示）と、を備える。反射板２１は、バックライト２からの光をディスプレイ８側に反射する。
【００５３】
反射板２１は、反射効率の高い材料で構成される。反射効率の高い材料とは、例えば耐熱性に優れた白色の樹脂、又は銀メッキした銅材である。
【００５４】
反射板２１は、図４に示すように、４本の穴が開くように成形する。成形した後の製造工程で、図３の矢印の方向からバックライト２をその４本の穴に嵌め込む。
【００５５】
以下、本発明の他の実施形態である液晶テレビジョンについて説明する。
【００５６】
図５は、本発明の他の実施形態である液晶テレビジョンの外観図である。図６は、同液晶テレビジョンにおけるバックライトの配置図である。図７は、同液晶テレビジョンにおける反射板のディスプレイ縦の側面図である。図７は、図６の反射板をディスプレイ縦両側の内の手前（矢印と反対側）から見た側面図である。
【００５７】
図５の液晶TV１０１は、反射板１２１の形状が円弧状に形成されている点（図６及び図7参照）で、図１の液晶TV１（図３及び図４参照）と相違する。
【００５８】
この形状によって、図１の反射板２１よりバックライト２からの光をディスプレイ８前面に集中させることができるため、バックライト２の反射効率が向上する。
【００５９】
また、反射板１２１の体積は、反射板２１と比し少なく済むので（図３〜４、図６〜７参照）、装置本体の大型化を防げるとともに、材料費の節約にもつながる。
【００６０】
一方、反射板１２１も、図７に示すように、４本の穴が開くように成形される。成形した後の製造工程で、図６の矢印の方向からバックライト２をその４本の穴に嵌め込む。
【００６１】
この際、従来の液晶TV２０１で使用されるバックライト２０２をその４本の穴に嵌め込もうとすると、バックライト２０２A、バックライト２０２Bを地面に対し斜めにして嵌め込まざるをえなくなる（図７参照）。斜めにして嵌め込むことは容易でなく、液晶TVを製造する際のバックライト２０２嵌め込み作業が複雑化する。
【００６２】
この場合も、バックライト２A、バックライト２Bを使用することで、地面に対し平行に嵌め込むことができる（図６及び７参照）。
【００６３】
以上により、液晶TVを製造する際のバックライト嵌め込み作業が単純化する。
【図面の簡単な説明】
【００６４】
【図１】本発明の実施形態である液晶テレビジョンの外観図
【図２】本発明の実施形態である液晶テレビジョンの主要部の構成を示すブロック図
【図３】本発明の実施形態である液晶テレビジョンにおけるバックライトの配置図
【図４】本発明の実施形態である液晶テレビジョンにおける反射板のディスプレイ縦の側面図
【図５】本発明の他の実施形態である液晶テレビジョンの外観図
【図６】本発明の他の実施形態である液晶テレビジョンにおけるバックライトの配置図
【図７】本発明の他の実施形態である液晶テレビジョンにおける反射板のディスプレイ縦の側面図
【図８】従来の液晶テレビジョンの外観図
【図９】従来の液晶テレビジョンにおけるバックライトの配置図
【符号の説明】
【００６５】
１−液晶テレビジョン
２−バックライト
３−アンテナ
４−チューナ
５−ＡＶ信号処理部
６−ＯＳＤ処理部
７−映像信号処理部
８−ディスプレイ
９−音声信号処理部
１０−スピーカ
１１−バックライト駆動回路
１２−制御部
１３−操作部
２１−反射板
１０１−液晶テレビジョン
１２１−反射板
２０１−液晶テレビジョン
２０２−バックライト
２０８−ディスプレイ
２２１−反射板
【図１】
2007004026.tif 000003
【図２】
2007004026.tif 000004
【図３】
2007004026.tif 000005
【図４】
2007004026.tif 000006
【図５】
2007004026.tif 000007
【図６】
2007004026.tif 000008
【図７】
2007004026.tif 000009
【図８】
2007004026.tif 000010
【図９】
2007004026.tif 000011